(57)【要約】【課題】容易に製造することができると共に、塗布作業も楽になし得る容器のキャップ装置を提供する。【解決手段】流出孔２１を有する櫛体６が互いに間隔をおいて複数個突設され、容器本体１内の内容液を流出孔２１を通して櫛体６から外部に流出するようにした容器のキャップ装置において、  前記流出孔２１が、櫛体６の突出方向に貫通状に形成されて、流出孔２１が櫛体６の先端開口２２から外部に連通され、櫛体６の先端開口２２から外方突出するように櫛体６の流出孔２１に挿通される内櫛８が設けられ、櫛体６と内櫛８との間に、内容液の流出路３６が形成されている。【選択図】図１
2005066051.tif 000002
【特許請求の範囲】
【請求項１】
流出孔を有する櫛体が突設され、容器本体内の内容液を流出孔を通して櫛体から外部に流出するようにした容器のキャップ装置において、
前記流出孔が、櫛体の突出方向に貫通状に形成されて、流出孔が櫛体の先端から外部に連通され、櫛体の先端から外方突出するように櫛体の流出孔に挿通される内櫛が設けられ、櫛体と内櫛との間に、内容液の流出路が形成されていることを特徴とする容器のキャップ装置。
【請求項２】
前記櫛体を有する第１キャップ体と、前記内櫛を有する第２キャップ体とが具備され、第２キャップ体は、容器本体の口部に装着され、第１キャップ体は、第２キャップ体に外嵌されて、内櫛が、櫛体の先端から外方突出するように櫛体の流出孔に挿通されていることを特徴とする請求項１に記載の容器のキャップ装置。
【請求項３】
第１キャップ体は、第２キャップ体に対して櫛体の突出方向に移動調整自在に装着され、この移動調整によって、流出路の先端の流出口の大きさを変更可能にするように、第２キャップ体の内櫛の先端側が先細り状若しくは先太り状に形成されていることを特徴とする請求項２に記載の容器のキャップ装置。
【請求項４】
第２キャップ体に、回動自在に外嵌保持される回動操作体が設けられ、前記第１キャップ体は、第２キャップ体に対して櫛体の突出方向に移動自在に外嵌され、回動操作体の回動操作によって、櫛体の突出方向に移動調整自在になるように、第２キャップ体は回動操作体に対して螺合されていることを特徴とする請求項２に記載の容器のキャップ装置。
【請求項５】
前記櫛体を有するキャップ体が具備され、該キャップ体は容器本体の口部に装着され、前記内櫛が、対応する櫛体にそれぞれ一体に形成されていることを特徴とする請求項１に記載の容器のキャップ装置。
【発明の詳細な説明】
【技術分野】
【０００１】
本発明は、白髪染め液やヘアマニキア等が収容される容器のキャップ装置に関するものである。
【背景技術】
【０００２】
例えば白髪染め液やヘアマニキア等が収容される容器のキャップ装置には、図１７及び図１８に示すように、容器本体７１の口部７２に着脱自在に装着されるキャップ体７３を備え、このキャップ体７３に、流出孔７４を有する櫛体７５が互いに間隔をおいて複数個突設され、容器本体７１内の内容液を流出孔７４を通して櫛体７５から外部に流出するようにしたものがある。
この種の従来のキャップ装置では、同図に示すように、前記流出孔７４が、櫛体７５の突出方向に形成されて、流出孔７４の基端側は口部７２内に連通され、流出孔７４の先端側は、櫛体７５の先端に達するやや手前の先端側の中途部まで形成され、複数の櫛体７５の先端側の中途部に、前記流出孔７４に直交する方向（櫛体７５の厚み方向）に吐出孔７８が貫通形成され、各流出孔７４の先端側がそれぞれ吐出孔７８に連通されている。これにより、白髪染め液等を櫛体７５の先端からではなく櫛体７５の先端側の中途部から流出するようにし、白髪染め液等を頭髪に塗布する際に、白髪染め液等を櫛体７５から直接頭皮に流出させることなく頭皮のやや手前で流出させて、頭髪に良好に塗布できるようにしている（例えば特許文献１及び特許文献２）。
【特許文献１】特開２００１−７００３４号公報
【特許文献２】特開平１０−１３７０２９号公報
【発明の開示】
【発明が解決しようとする課題】
【０００３】
しかし、従来の場合、複数の櫛体７５に、その長手方向に設けられる流出孔７４の他に、流出孔７４に直交する方向の吐出孔７８を設ける必要があるため、キャップ装置を形成するための金型が非常に複雑になり、例えば、流出孔７４と吐出孔７８とを形成するために、金型内に櫛体７５の流出孔７４を形成するための縦ピンの他に、吐出孔７８を形成するための横ピンを複数の櫛体７５を串刺しするように設ける必要があり、また、キャップ装置の成型品を抜く際に、横スライドした後縦スライドさせて金型から成型品を抜く必要があり、キャップ装置の製造が非常に面倒になった。
【０００４】
また、白髪染め液等を塗布する際に、白髪染め液等は櫛体７５の流出孔７４から直角に曲がって吐出孔７８を通るため、白髪染め液の流出抵抗が大きくなり、容器本体を比較的強い力で押圧する必要があり、白髪染め液の塗布作業も面倒であった。
本発明は上記問題点に鑑み、容易に製造することができると共に、塗布作業も楽になし得る容器のキャップ装置を提供することを目的とする。
【課題を解決するための手段】
【０００５】
この技術的課題を解決する本発明の技術的手段は、流出孔２１を有する櫛体６が突設され、容器本体１内の内容液を流出孔２１を通して櫛体６から外部に流出するようにした容器のキャップ装置において、
前記流出孔２１が、櫛体６の突出方向に貫通状に形成されて、流出孔２１が櫛体６の先端から外部に連通され、櫛体６の先端から外方突出するように櫛体６の流出孔２１に挿通される内櫛８が設けられ、櫛体６と内櫛８との間に、内容液の流出路３６が形成されている点にある。
【０００６】
また、本発明の他の技術的手段は、前記櫛体６を有する第１キャップ体７と、前記内櫛８を有する第２キャップ体９とが具備され、第２キャップ体９は、容器本体１の口部２に装着され、第１キャップ体７は、第２キャップ体９に外嵌されて、内櫛８が、櫛体６の先端から外方突出するように櫛体６の流出孔２１に挿通されている点にある。
また、本発明の他の技術的手段は、第１キャップ体７は、第２キャップ体９に対して櫛体６の突出方向に移動調整自在に装着され、この移動調整によって、流出路３６の先端の流出口３６ａの大きさを変更可能にするように、第２キャップ体９の内櫛８の先端側が先細り状若しくは先太り状に形成されている点にある。
【０００７】
また、本発明の他の技術的手段は、第２キャップ体９に、回動自在に外嵌保持される回動操作体４３が設けられ、前記第１キャップ体７は、第２キャップ体９に対して櫛体６の突出方向に移動自在に外嵌され、回動操作体４３の回動操作によって、櫛体６の突出方向に移動調整自在になるように、第２キャップ体９は回動操作体４３に対して螺合されている点にある。
また、本発明の他の技術的手段は、前記櫛体６を有するキャップ体４９が具備され、該キャップ体４９は容器本体１の口部２に装着され、前記内櫛８が、対応する櫛体６にそれぞれ一体に形成されている点にある。
【発明の効果】
【０００８】
本発明によれば、櫛体にその突出方向に流出孔のみを形成すればよく、流出孔に直交する方向に孔を形成する必要がなくなり、それだけ成形金型等が簡単になり、キャップ装置を容易に製造することができる。また、塗布する際に、比較的小さい力で内容液を流出させることができ、白髪染め液や頭髪脱色剤等の塗布作業が非常に楽になる。
【発明を実施するための最良の形態】
【０００９】
以下、本発明の実施の形態を図面に基づいて説明する。
図１〜図３において、１は白髪染め液やヘアマニキア等の液体を収容する容器本体で、合成樹脂等で筒状に形成され、口部２を有している。口部２の外周面に雄ねじ３が形成されている。
５は容器本体１の口部２に装着したキャップ装置で、複数の櫛体６を有する第１キャップ体７と、複数の内櫛８を有する第２キャップ体９とを別体に具備している。
第１キャップ体７は、合成樹脂により一体成形され、円筒状の周壁１０と環状の嵌合壁１１と円板状の天壁１２と天壁１２から上方突出した凸壁１３とを備え、嵌合壁１１は周壁１０の上方に延設され、天壁１２は嵌合壁１１の上端側を閉塞するように設けられている。凸壁１３は、天壁１２の直径方向に配置されて、幅方向一対の側壁部１５と長手方向一対の外壁部１６と上壁部１７とを有し、上壁部１７の長手方向両端に一対のガイド櫛１９が上方突設され、上壁部１７の一対のガイド櫛１９間に、櫛体６が互いに等間隔をおいて複数個（図例では６個）突設されている。一対のガイド櫛１９は櫛体６よりも大きく上方突出されている。
【００１０】
各櫛体６は扁平な楕円筒状に形成され、櫛体６に流出孔２１が該櫛体６の突出方向（上下方向）に貫通状に形成され、流出孔２１の基端側は凸壁１３内乃至口部２内に連通され、流出孔２１の先端側は櫛体６の先端から外部に連通されている。周壁１０の下端部内面に環状係合部２３が内方突設されている。
第２キャップ体９は、合成樹脂により一体成型され、内周壁２７と外周壁２８と天壁２９と嵌合壁３０とを備える。内周壁２７と外周壁２８とは、内外２重の円筒状に形成され、嵌合壁３０は外周壁２８の上端から環状に上方突出され、天壁２９は、内周壁２７及び外周壁２９の上端側と嵌合壁３０の下端側とを閉塞するように設けられている。
【００１１】
天壁２９に、内櫛８が互いに等間隔をおいて複数個（図例では６個）上方突設され、複数の内櫛８は、第１キャップ体７の櫛体６に対応して天壁２９の径方向に並ぶように配置され、各内櫛８は板状であって流出孔２１の大きさよりもやや小さく（薄く）形成されており、櫛体６の流出孔２１に挿通可能に構成されている。
天壁２９の中央部に開口部３２が設けられ、この開口部３２に対応する部分に内櫛８の基部同士を連結する連結体３１が設けられ、両外端に位置する内櫛８以外の開口部３２に対応する内側の内櫛８は連結体３１によって互いに連結されて、天壁２９に連結支持されている。
【００１２】
内周壁２７の内面に口部２の雄ねじ３に螺合する雌ねじ３３が形成されている。外周壁２８の外周面の下部に、環状係止部３４が外方突設されている。第２キャップ体９の内周壁２７は口部２に雄ねじ３及び雌ねじ３３を介して着脱自在に螺合され、これにより、第２キャップ体９は、周壁１０を介して容器本体１の口部２に着脱自在に装着されている。
前記第１キャップ体７の周壁１０は第２キャップ体９の外周壁２８よりもやや大きく形成されており、第１キャップ体７を第２キャップ体９に対して上側から被せることにより、周壁１０は外周壁２８に着脱自在又は着脱不能に外嵌されると共に、嵌合壁１１が嵌合壁３０に外嵌状に嵌着され、このとき、環状係合部２３が環状係止部３４を上から下に乗り越えて環状係合部２３が環状係止部３４に下側から係合し、外周壁２８に対して周壁１０を抜け止めするようになっている。また、複数の内櫛８が、櫛体６の流出孔２１に挿通されて、櫛体６の先端から外方（上方）突出するようになっている。櫛体６と内櫛８との間に、上下方向の隙間が形成され、この隙間が容器本体１内の内容液を流出させる流出路３６とされ、流出路３６の先端（上端）に外部に連通する流出口３６ａが設けられ、この流出口３６ａは、内櫛８の厚み方向の両側に一対配置されている。
【００１３】
上記実施の形態によれば、第１キャップ体７の櫛体６に流出孔２１を櫛体６の突出方向に貫通状に形成すればよく、しかも、櫛体６の流出孔２１に内櫛８が挿通されるため、流通孔２１は比較的大きな孔になるし、流出孔２１に直交する方向の孔を設ける必要がなくなるため、第１キャップ体７を成形するための金型は非常に簡単な構造になる。また、第２キャップ体９の内櫛８等に孔を形成する必要がないため、第２キャップ体９を成形するための金型も非常に簡単な構造のもので済む。また、第１キャップ体７又は第２キャップ体９の成形品を抜く際に、横スライドした後縦スライドさせて金型から成型品を抜くような面倒もなくなる。従って、キャップ装置５を簡単に製造することができる。
【００１４】
また、白髪染め液等の液体を塗布する場合、白髪染め液等は流出孔２１及び流出路３６から櫛体６の突出方向に向けて真っ直ぐ流出させて、流出口３６ａから外部に流出するので、液の流出抵抗は小さくなり、容器本体１を比較的小さい力で押圧するればよくなり、白髪染め等の液をスムーズに流出させることができ、白髪染め液等の塗布作業も楽になる。
図４は他の実施形態を示し、上壁部１７の長手方向両端の一対のガイド櫛１９を省略したものである。その他の点は前記図１〜図３の実施の形態の場合と同様の構成である。
【００１５】
図５は他の実施形態を示し、上部壁１７の一対のガイド櫛１９間に、流出孔２１を有する櫛体６とガイド櫛１９とが等間隔をおいて交互に上方突設されている。その他の点は前記図１〜図３の実施の形態の場合と同様の構成である。
図６及び図７は他の実施の形態を示し、前記図４の実施形態の場合と同様に、上壁部１７の長手方向両端の一対のガイド櫛１９を省略している。また、第２キャップ体９の外周壁２８の外周面に、環状係止部３４が上下２段に外方突設され（以下、上側の環状係止部３４を環状係止部３４ａとし、下側の環状係止部３４を環状係止部３４ｂとして、両者を区別する。）、第１キャップ体７の周壁１０及び嵌合壁１１は、第２キャップ体９の外周壁２８及び嵌合壁３０に対して、上下方向に摺動自在に嵌合され、図６に示すように第１キャップ体７の環状係合部２３が下側の環状係止部３４ｂに下側から係合する下摺動位置と、図７に示すように第１キャップ体７の環状係合部２３が上側の環状係止部３４ａに下側から係合する上摺動位置とに、第２キャップ体９は、第１キャップ体７に対して櫛体６の突出方向に移動調整自在に装着されている。
【００１６】
第２キャップ体９の複数の内櫛８の先端側が先細り状に形成されており、図６に示すように第１キャップ体７の環状係合部２３が下側の環状係止部３４に係合する下摺動位置にセットすると、櫛体６の先端が内櫛８の先端側に対して下降して、流出口３６ａが小さくなり、図７に示すように第１キャップ体７の環状係合部２３が上側の環状係止部３４に係合する上摺動位置にセットすると、櫛体６の先端が内櫛８の先端側に対して上昇して、流出口３６ａが大きくなり、流出口３６ａの大きさを２段階に変更可能になっている。
その他の点は前記図１〜図３の実施の形態の場合と同様の構成である。この場合、流出口３６ａの大きさの変更によって、白髪染め液等の液体が櫛体６から流出する量を２段階に調整でき、非常に便利である。例えば、内容液の粘度の高いものと低いものがあっても、１種のキャップ装置５にて対応できるため、新たに金型を作成しなくても良いという効果がある。
【００１７】
なお、前記図６及び図７の実施の形態では、外周壁２８の外周面に環状係止部３４が上下２段に外方突設されて、第２キャップ体９を、第１キャップ体７に対して上下２段に移動調整自在としているが、これに代え、環状係止部３４を上下に３段以上外方突設して、第２キャップ体９を、第１キャップ体７に対して上下に３段以上に移動調整自在としてもよい。
また、前記図１〜３の実施の形態、図４の実施の形態、図５の実施の形態、図６及び図７の実施の形態では、第２キャップ体９は、内周壁２７と外周壁２８とを内外２重に備えているが、内周壁２７と外周壁２８とに代えて、これらを一緒にした１つの筒状の周壁を設け、この周壁の内面に口部２の雄ねじ３に螺合する雌ねじ３３を形成すると共に、周壁の外周面に、環状係止部３４を外方突設するようにしてもよい。
【００１８】
図８及び図９は他の実施の形態を示し、第２キャップ体９に、内周壁２７及び外周壁２８に代えて、１つの周壁４１が設けられ、周壁４１の上端から嵌合壁３０が上方突設されている。周壁４１の内面に雌ねじ３３が形成され、周壁４１が雌ねじ３３及び雄ねじ３を介して口部２に着脱自在に螺合されるようになっている。また、周壁４１の外面に、上下一対の環状突起を突設してなる環状の係止凹部４２が設けられている。
第２キャップ体９の周壁４１に、回動自在に外嵌保持される回動操作体４３が設けられ、回動操作体４３の内面の下部に環状の係合凸部４４が設けられ、回動操作体４３を周壁４１に外嵌して係合凸部４４を係止凹部４２に係合することにより、回動操作体４３は周壁４１に対して上下移動が規制された状態で、周壁４１に回動自在に外嵌保持されている。
【００１９】
第１キャップ体７の周壁１０の外面に、雄ねじ４５が形成され、回動操作体４３の内面上部に雌ねじ４６が形成されている。第１キャップ体７の周壁１０、嵌合壁１１は、第２キャップ体９の周壁４１、嵌合壁３０にそれぞれ上下摺動に外嵌され、第１キャップ７の周壁１０は雄ねじ４５及び雌ねじ４６を介して回動操作体４３に螺合されており、回動操作体４３を回動操作によって、第１キャップ体７を第２キャップ体９に対して櫛体６の突出方向に移動調整できるようになっている。
図６及び図７の実施の形態の場合と同様に、第２キャップ体９の複数の内櫛８の先端側が先細り状に形成されており、回動操作体４３を回動操作によって、第１キャップ体７を第２キャップ体９に対して櫛体６の突出方向に移動調整することにより、櫛体６の先端が内櫛８の先端側に対して昇降して、流出口３６ａの大きさを無段階に変更できるようになっている。その他の点は前記図１〜図３の実施の形態の場合と同様の構成である。
【００２０】
なお、前記図６及び図７の実施の形態、図８及び図９の実施の形態では、第１キャップ体７の移動調整によって、流出路３６の先端の流出口３６ａの大きさを変更可能にするように、第２キャップ体９の内櫛８の先端側を先細り状に形成しているが、これに代え、第１キャップ体７の移動調整によって、流出路３６の先端の流出口３６ａの大きさを変更可能にするように、第２キャップ体９の内櫛８の先端側を先太り状に形成するようにしてもよい。
図１０及び図１１は他の実施の形態を示し、容器本体１の口部２に装着したキャップ装置５は、複数の櫛体６を有するキャップ体４９を具備している。
【００２１】
キャップ体４９は、合成樹脂により一体成形され、周壁５０と天壁５１とを備える。天壁５１に、櫛体６が互いに等間隔をおいて複数個上方突設され、複数の櫛体６は、第１キャップ体７の櫛体６に対応して天壁５１の径方向に並ぶように配置されている。各櫛体６に前記実施の形態の場合と同様に流出孔２１が該櫛体６の突出方向（上下方向）に貫通状に形成されている。
周壁５０の内面に口部２の雄ねじ３に螺合する雌ねじ３３が形成されている。周壁５０は口部２に雄ねじ３及び雌ねじ３３を介して着脱自在に螺合され、これにより、キャップ体４９は、周壁５０を介して容器本体１の口部２に着脱自在に嵌着されている。
【００２２】
各櫛体６に対応して複数の内櫛８が設けられ、これら内櫛８は対応する櫛体６にそれぞれ一体に形成されている。
櫛体６の先端から外方突出するように櫛体６の流出孔２１に挿通される内櫛８が設けられ、櫛体６と内櫛８との間に、櫛体６と内櫛８との間の隙間により構成した内容液の流出路３６が形成され、流出路３６の先端（上端）に外部に連通する流出口３６ａが設けられている。
上記実施の形態によれば、前記実施の形態の場合と同様に、キャップ体４９の櫛体６に流出孔２１を櫛体６の突出方向に貫通状に形成すればよく、キャップ体４９を成形するための金型は非常に簡単な構造になる。また、キャップ体４９の成形品を抜く際に、横スライドした後縦スライドさせて金型から成型品を抜くような面倒もなくなる。従って、キャップ装置５を簡単に製造することができる。
【００２３】
また、前記実施の形態の場合と同様に、白髪染め液等の液体を塗布する場合、容器本体１を比較的小さい力で押圧するればよくなり、白髪染め等の液をスムーズに流出させることができ、白髪染め液等の塗布作業も楽になる。
図１２〜図１４は、それぞれ流出口３６ａの形状を変更した変形例を示すものである。図１２は、流出口３６ａを内櫛８の厚み方向両側に形成するようにしたものである。図１３は、流出口３６ａを内櫛８の幅方向両側に形成するようにしたものである。図１４は、流出口３６ａを内櫛８の全周に環状に形成するようにしたものである。
【００２４】
図１５及び図１６はそれぞれ他の実施形態を示し、櫛体６の厚み方向両側に、上端から上下方向の中途部にわたってスリット（流出口）５３を設け、このスリット５３からも内容液が流出するようにしたものである。図１６は、櫛体６の中途部の厚み方向両側又は一方側に、スリット（流出口）５３を設け、ここからも内容液が流出するようにしたものである。
なお、前記実施の形態では、流出孔２１を有する櫛体６が互いに間隔をおいて複数個突設され、櫛体６の先端から外方突出するように櫛体６の流出孔２１に挿通される内櫛８が複数個設けられているが、櫛体６及び内櫛８の個数は前記実施の形態の場合に限定されず、例えば、流出孔２１を有する櫛体６を１個突設すると共に、櫛体６の流出孔２１に挿通される内櫛８を１個設けるようにしてもよい。
【００２５】
また、前記実施の形態では、複数の櫛体６及び複数の内櫛８が、互いに間隔をおいて一直線上に配列されているが、これに代え、複数の櫛体６及び複数の内櫛８を複数列に配列してもよい。また、複数の櫛体６及び複数の内櫛８をジグザグ状又は千鳥状に配列してもよい。
また、前記実施の形態では、櫛体６、内櫛８及び流出孔２１が、容器本体１の長手方向に突出（配置）されているが、これに代え、櫛体６、内櫛８及び流出孔２１を、容器本体１の長手方向に直交する方向に突出（配置）させてもよい。
【産業上の利用可能性】
【００２６】
本発明は、白髪染め液やヘアマニキア等が収容される容器に利用できる他に、ヘアートニック、ヘアーリキッド、オーデコロン等の液状化粧料を収容する容器に利用できる。
【図面の簡単な説明】
【００２７】
【図１】本発明の一実施の形態を示す半欠正面断面図である。
【図２】同半欠側面断面図である。
【図３】同平面図である。
【図４】他の実施の形態を示す半欠正面断面図である。
【図５】他の実施の形態を示す半欠正面断面図である。
【図６】他の実施の形態を示す半欠正面断面図である。
【図７】同第１キャップ体を上方に移動調整した状態の半欠正面断面図である。
【図８】他の実施の形態を示す半欠正面断面図である。
【図９】同第１キャップ体を上方に移動調整した状態の半欠正面断面図である。
【図１０】他の実施の形態を示す半欠側面断面図である。
【図１１】同櫛体及び内櫛部分の斜視図である。
【図１２】他の実施の形態を示す櫛体及び内櫛部分の平面図である。
【図１３】他の実施の形態を示す櫛体及び内櫛部分の平面図である。
【図１４】他の実施の形態を示す櫛体及び内櫛部分の平面図である。
【図１５】他の実施の形態を示す櫛体及び内櫛部分の斜視図である。
【図１６】他の実施の形態を示す櫛体及び内櫛部分の斜視図である。
【図１７】従来例を示す正面断面図である。
【図１８】同側面図である。
【符号の説明】
【００２８】
１    容器本体
２    口部
６    櫛体
７    第１キャップ体
８    内櫛
９    第２キャップ体
２１    流出孔
３６    流出路
３６ａ  流出口
４９    キャップ体
【図１】
2005066051.tif 000003
【図２】
2005066051.tif 000004
【図３】
2005066051.tif 000005
【図４】
2005066051.tif 000006
【図５】
2005066051.tif 000007
【図６】
2005066051.tif 000008
【図７】
2005066051.tif 000009
【図８】
2005066051.tif 000010
【図９】
2005066051.tif 000011
【図１０】
2005066051.tif 000012
【図１１】
2005066051.tif 000013
【図１２】
2005066051.tif 000014
【図１３】
2005066051.tif 000015
【図１４】
2005066051.tif 000016
【図１５】
2005066051.tif 000017
【図１６】
2005066051.tif 000018
【図１７】
2005066051.tif 000019
【図１８】
2005066051.tif 000020